(57)【要約】【課題】複数の動画を連続再生している間に高速再生を行っても動画の再生漏れが発生しないようにする。【解決手段】複数の動画を連続して再生している間にフレームの飛び越しを行って高速再生するよう指示された場合には、前記高速再生する複数の動画のうち、記録時間が最も短い動画よりも前記フレームの飛び越し間隔が短くなるように制御する制御手段を設け、連続再生時に使用者が再生速度を変更し、記録時間の短い動画よりもフレーム飛び越し間隔を長く設定した場合においても、記録媒体１０６ａに記録されている全ての動画を見落とすことが無いようにする。【選択図】  図２
2010118854.tif 000002
【特許請求の範囲】
【請求項１】
複数の動画を連続して再生している間にフレームの飛び越しを行って高速再生するよう指示された場合には、前記連続して再生する複数の動画のうち、記録時間が最も短い動画よりも前記フレームの飛び越し間隔が短くなるように制御する制御手段を有することを特徴とする再生装置。
【請求項２】
複数の動画を連続して再生する再生手段と、前記複数の動画の各々の記録時間を取得する記録時間取得手段と、動画を構成するフレームを飛び越し再生することにより前記再生手段の再生速度を変化させる再生速度可変手段と、前記フレームの飛び越し間隔を設定する再生速度設定手段とを備えた再生装置であって、
前記再生速度設定手段によってフレームの飛び越し間隔が設定された際に、前記複数の動画のうち、記録時間が最も短い動画よりもフレームの飛び越し間隔が長くならないように制限して再生速度可変手段にフレーム飛び越し間隔を設定する制御手段を有することを特徴とする再生装置。
【請求項３】
前記制御手段は、前記フレームの飛び越し間隔よりも短い動画が再生対象として含まれる場合は、前記フレームの飛び越し間隔よりも短い動画を構成するフレームのうち、少なくとも１フレームは再生するよう制御することを特徴とする請求項１または２に記載の再生装置。
【請求項４】
前記制御手段は、前記再生手段による再生が行なわれる場合は、前記再生速度可変手段による再生速度の変更を禁止することを特徴とする請求項２または３に記載の再生装置。
【請求項５】
複数の動画を連続して再生している間にフレームの飛び越しを行って高速再生するよう指示された場合には、前記連続して再生する複数の動画のうち、記録時間が最も短い動画よりも前記フレームの飛び越し間隔が短くなるように制御する制御工程を有することを特徴とする再生方法。
【請求項６】
複数の動画を連続して再生する再生工程と、前記複数の動画の各々の記録時間を取得する記録時間取得工程と、動画を構成するフレームを飛び越し再生することにより前記再生工程における再生速度を変化させる再生速度可変工程と、前記フレームの飛び越し間隔を設定する再生速度設定工程とを備えた再生方法であって、
前記再生速度設定工程においてフレームの飛び越し間隔が設定された際に、前記複数の動画のうち、記録時間が最も短い動画よりもフレームの飛び越し間隔が長くならないように制限して再生速度可変工程におけるフレーム飛び越し間隔を設定する制御工程を有することを特徴とする再生方法。
【請求項７】
前記制御工程は、前記フレームの飛び越し間隔よりも短い動画が再生対象として含まれる場合は、前記フレームの飛び越し間隔よりも短い動画を構成するフレームのうち、少なくとも１フレームは再生するよう制御することを特徴とする請求項５または６に記載の再生方法。
【請求項８】
前記制御工程は、前記再生工程において再生が行なわれる場合は、前記再生速度可変工程における再生速度の変更を禁止することを特徴とする請求項６または７に記載の再生方法。
【請求項９】
複数の動画を連続して再生している間にフレームの飛び越しを行って高速再生するよう指示された場合には、前記連続して再生する複数の動画のうち、記録時間が最も短い動画よりも前記フレームの飛び越し間隔が短くなるように制御する制御工程を有する再生方法をコンピュータに実行させることを特徴とするプログラム。
【請求項１０】
複数の動画を連続して再生する再生工程と、前記複数の動画の各々の記録時間を取得する記録時間取得工程と、動画を構成するフレームを飛び越し再生することにより前記再生工程における再生速度を変化させる再生速度可変工程と、前記フレームの飛び越し間隔を設定する再生速度設定工程とを備えた再生方法をコンピュータに実行させるプログラムであって、
前記再生速度設定工程においてフレームの飛び越し間隔が設定された際に、前記複数の動画のうち、記録時間が最も短い動画よりもフレームの飛び越し間隔が長くならないように制限して再生速度可変工程におけるフレーム飛び越し間隔を設定する制御工程を有する再生方法をコンピュータに実行させることを特徴とするプログラム。
【発明の詳細な説明】
【技術分野】
【０００１】
本発明は再生装置及び再生方法に関し、特に、短い記録時間の動画を連続して高速再生するために用いて好適な技術に関する。
【背景技術】
【０００２】
近年、デジタルビデオカメラ等の記録再生装置において、短い記録時間の動画を連続して再生する機能を有するものが実用化されている。短い記録時間の動画とは、本願においては、記録開始からある固定時間（例えば４、５秒程度）経過後に自動的に記録を終了するようなスナップ撮影的な撮影方法で撮れた動画を指す。以下、このような記録再生装置に関して説明する。
【０００３】
図１は、従来の記録再生装置１００の構成例を説明する機能ブロック図である。
図１において、１０１はズームレンズ群・絞り・ＮＤフィルタ等により構成される光学系である。１０２は撮像素子であるＣＣＤ・サンプル／ホールド回路（Ｓ／Ｈ回路）・プリプロセス回路等により構成される撮影部である。１０３は信号処理部であり、１０４は複数の動画を連続して再生するための連続再生部であり、１０５は再生速度可変部である。１０６は、信号記録部であり、１０７は再生速度設定部である。１０８は、記録再生装置の全体動作を制御するための制御マイコンである。
【０００４】
光学系１０１のレンズ（図示せず）を介して受光した被写体からの光は、絞り・ＮＤフィルタにより光量を調節されて撮影部１０２に入射される。撮影部１０２では、光学系１０１を介して入射される被写体からの光がＣＣＤ等の撮像素子の面上に結像され、撮像素子により光電変換されて映像信号として蓄積される。
【０００５】
ＣＣＤ等の撮像素子から出力された映像信号は、撮影部１０２に配設されている図示しないサンプルホールド回路でサンプルホールド処理される。その後、プリプロセス回路に供給されてＡＧＣ処理、ブラックバランス処理、ホワイトバランス処理、ガンマ補正処理等が行われ、信号処理部１０３に供給される。
【０００６】
信号処理部１０３では、制御マイコン１０８からの指示に基づき入力される画像信号に対して加工・補正等の信号処理を施して記録用画像信号を生成し、信号記録部１０６に出力する。信号記録部１０６では、入力された記録用画像信号を記録媒体１０６ａに応じた形式に加工・変換して記録媒体１０６ａに記録する。
【０００７】
動画撮影モードから動画再生モードに移行し、上記のような連続再生機能が有効にされると、制御マイコン１０８は連続再生部１０４に再生する動画の情報を伝達する。そして、使用者が再生開始を指示すると動画を記録媒体１０６ａから順次読み出して信号処理部１０３に伝達する。信号処理部１０３は、伝達された動画データを順次画像処理し、図示しない表示手段に出力する。
【０００８】
使用者が再生速度設定部１０７を介して再生速度の変更を指示すると、それに応じて制御マイコン１０８は再生速度可変部１０５にフレームの飛び越し間隔を指示する。再生速度可変部１０５は再生速度設定部１０７に指示されたフレーム飛び越し間隔に応じて動画データ中の再生対象のフレームを決定し、信号処理部１０３を介して図示しない表示装置に出力する。
【０００９】
従来の記録再生装置１００は、以上のように構成されていた（例えば特許文献１、２）。
また、特許文献３に記載されているダイジェスト画面選択方法は、映像ショットの一部分のみを次々に再生する方法である。これは、各映像ショットの秒数に応じて再生するダイジェスト部分の位置を変えるというものである。
【００１０】
【特許文献１】特開２００６ー３２４８５０号公報
【特許文献２】特開２００４―３２８２１８号公報
【特許文献３】特開平０９―２７０９９７号公報
【発明の開示】
【発明が解決しようとする課題】
【００１１】
しかしながら、従来の記録再生装置において複数の動画を連続再生しようとした場合において、使用者が高速再生を実行すると、フレーム飛び越し間隔が大きくなり過ぎてしまい、全く再生されない動画が発生するという問題があった。このため、高速再生により使用者が所望の動画を検索したい場合においては、全く再生されない動画が所望の動画であった場合、再生速度を落として再度検索する必要があり、再生操作が煩わしい問題点があった。
【００１２】
図６に、従来の記録再生装置において、複数の動画を連続再生する際のフレーム飛び越し間隔を説明する模式図を示す。
４秒の動画を５本連続再生しようとした場合に、フレーム飛び越し間隔を８秒として高速再生を実施すると、図６におけるムービー（２）、ムービー（４）のように全く再生されない動画が発生してしまう課題があった。
【００１３】
本発明は前述の問題点に鑑みてなされたものであり、複数の動画を連続再生している間に高速再生を行っても動画の再生漏れが発生しないようにすることを目的とする。
【課題を解決するための手段】
【００１４】
本発明の再生装置は、複数の動画を連続して再生している間にフレームの飛び越しを行って高速再生するよう指示された場合には、前記連続して再生する複数の動画のうち、記録時間が最も短い動画よりも前記フレームの飛び越し間隔が短くなるように制御する制御手段を有することを特徴とする。
また、本発明の再生装置の他の特徴とするところは、複数の動画を連続して再生する再生手段と、前記複数の動画の各々の記録時間を取得する記録時間取得手段と、動画を構成するフレームを飛び越し再生することにより前記再生手段の再生速度を変化させる再生速度可変手段と、前記フレームの飛び越し間隔を設定する再生速度設定手段とを備えた再生装置であって、前記再生速度設定手段によってフレームの飛び越し間隔が設定された際に、前記複数の動画のうち、記録時間が最も短い動画よりもフレームの飛び越し間隔が長くならないように制限して再生速度可変手段にフレーム飛び越し間隔を設定する制御手段を有することを特徴とする。
【００１５】
本発明の再生方法は、複数の動画を連続して再生している間にフレームの飛び越しを行って高速再生するよう指示された場合には、前記連続して再生する複数の動画のうち、記録時間が最も短い動画よりも前記フレームの飛び越し間隔が短くなるように制御する制御工程を有することを特徴とする。
また、本発明の再生方法の他の特徴とするところは、複数の動画を連続して再生する再生工程と、前記複数の動画の各々の記録時間を取得する記録時間取得工程と、動画を構成するフレームを飛び越し再生することにより前記再生工程における再生速度を変化させる再生速度可変工程と、前記フレームの飛び越し間隔を設定する再生速度設定工程とを備えた再生方法であって、前記再生速度設定工程においてフレームの飛び越し間隔が設定された際に、前記複数の動画のうち、記録時間が最も短い動画よりもフレームの飛び越し間隔が長くならないように制限して再生速度可変工程におけるフレーム飛び越し間隔を設定する制御工程を有することを特徴とする。
【００１６】
本発明のプログラムは、複数の動画を連続して再生している間にフレームの飛び越しを行って高速再生するよう指示された場合には、前記連続して再生する複数の動画のうち、記録時間が最も短い動画よりも前記フレームの飛び越し間隔が短くなるように制御する制御工程を有する再生方法をコンピュータに実行させることを特徴とする。
また、本発明のプログラムの他の特徴とするところは、複数の動画を連続して再生する再生工程と、前記複数の動画の各々の記録時間を取得する記録時間取得工程と、動画を構成するフレームを飛び越し再生することにより前記再生工程における再生速度を変化させる再生速度可変工程と、前記フレームの飛び越し間隔を設定する再生速度設定工程とを備えた再生方法をコンピュータに実行させるプログラムであって、前記再生速度設定工程においてフレームの飛び越し間隔が設定された際に、前記複数の動画のうち、記録時間が最も短い動画よりもフレームの飛び越し間隔が長くならないように制限して再生速度可変工程におけるフレーム飛び越し間隔を設定する制御工程を有する再生方法をコンピュータに実行させることを特徴とする。
【発明の効果】
【００１７】
本発明によれば、複数の動画を連続再生している間に高速再生を行っても動画の再生漏れが発生しないようにすることができる。
【発明を実施するための最良の形態】
【００１８】
（第１の実施形態）
以下、本発明の第１の実施形態について図面を参照して説明する。
図２は、本発明における記録再生装置２００の構成を説明するブロック図である。図２において、前述した図１と機能が同じ部分は同じ符号を付して説明を省略する。
【００１９】
図２において、２０１は記録時間取得部である。本実施形態の記録再生装置２００は、使用者が連続再生モードに移行するように指示すると、制御マイコン１０８は再生対象となる動画を決定し、連続再生部１０４及び記録時間取得部２０１に伝達する。
【００２０】
連続再生部１０４は、再生順序に応じて動画データを信号記録部１０６の記録媒体１０６ａから順次読み出す。記録時間取得部２０１は、再生対象となる複数の動画のうち、記録時間が最も短い動画を選択し、その記録時間を制御マイコン１０８に伝達する。
【００２１】
連続再生を開始した後、使用者が再生速度設定部１０７を操作して再生速度変更を指示すると、再生速度設定部１０７は制御マイコン１０８にフレームの飛び越し間隔を指示する。制御マイコン１０８は、記録時間の最も短い動画の記録時間とフレームの飛び越し間隔とを比較し、フレームの飛び越し間隔の方が短いか、あるいは同じ場合は再生速度可変部１０５に飛び越しフレーム間隔の変更を指示する。再生速度可変部１０５により、飛び越しフレーム間隔が変更されると、再生速度が変化する。本実施形態においては、フレームの飛び越し間隔の方が記録時間より長い場合は、記録時間より短く、かつ最も長いフレーム飛び越し間隔を再生速度可変部１０５に指示するようにしている。
【００２２】
図３に、本実施形態の記録再生装置２００で行われる制御手順の一例を説明するフローチャートを示す。
まず、ステップＳ３１において、記録時間取得部２０１は再生対象の動画のうち、記録時間が最も短い動画の記録時間を取得し、制御マイコン１０８に伝達する。その後、制御をステップＳ３２に移行する。
【００２３】
ステップＳ３２においては、制御マイコン１０８は、連続再生部１０４に連続再生開始を指示し、制御をステップＳ３３に移行する。
ステップＳ３３においては、制御マイコン１０８は、再生速度設定部１０７から再生速度変更指示が伝達されるのを監視する。本実施形態においては、高速再生の指示が行われたか否かを監視する。再生速度変更指示が無い場合は、ステップＳ３７へ制御を移行する。再生速度変更指示がある場合は、ステップＳ３４に制御を移行する。
【００２４】
ステップＳ３４においては、制御マイコン１０８は、再生速度設定部１０７から伝達されたフレーム飛び越し間隔と、ステップＳ３１で取得した最短記録時間とを比較する。そして、フレーム飛び越し間隔が最短記録時間以下の時間間隔である場合は、再生速度可変部１０５にフレーム飛び越し間隔を伝達し、制御をステップＳ３６に移行する。一方、ステップＳ３４の比較の結果、フレーム飛び越し間隔が最短記録時間より長い場合は、ステップＳ３５に制御を移行する。
【００２５】
ステップＳ３５においては、制御マイコン１０８は、フレーム飛び越し間隔を最短記録時間以下に変更し、変更されたフレーム飛び越し間隔を再生速度可変部１０５に伝達し、その後、ステップＳ３６に制御を移行する。
【００２６】
ステップＳ３６においては、再生速度可変部１０５は、伝達されたフレーム飛び越し間隔に基づいて再生速度を設定し、高速再生を開始する。その後、制御をステップＳ３７に移行する。
【００２７】
ステップＳ３７においては、制御マイコン１０８は、連続再生が終了されるか判定し、継続される場合はステップＳ３３へ制御を移行し、再生速度の変更手順を再度実施する。連続再生が終了される場合は、制御を終了する。
【００２８】
図７に、本実施形態の記録再生装置２００において、複数の動画を連続再生する際のフレーム飛び越し間隔の一例を説明する模式図を示す。
図７のように、ムービー（１)〜（５）に示す５本の動画を連続再生しようとした場合に、フレーム飛び越し間隔８秒として高速再生を実施すると、図７におけるムービー（２）、ムービー（４）のように全く再生されない動画が発生してしまう。そこで、本実施形態においては、記録時間が最も短いムービー（２）の記録時間にフレーム飛び越し間隔を制限するようにしている。これによって、全く再生されない動画を発生させないようにしながら高速再生を実行することができる。
【００２９】
ここまで説明してきたように、本実施形態のように、再生動作を制御することにより、使用者が再生速度を速く設定し過ぎても、フレーム飛び越し間隔よりも記録時間の短い動画の再生漏れが発生しないようにすることができる。これにより、連続再生中に高速再生を行っても動画を見落とすことが無い記録再生装置２００を提供することができる。
【００３０】
なお、図７では、連続再生モードの際、短い記録時間の動画の秒数が異なっているが、同じ秒数の動画を連続再生しても勿論よい。つまり、記録開始からある固定時間（例えば４秒）経過後に自動的に記録を終了するようなスナップ撮影的な撮影方法で取得した複数の動画をスナップ撮影動画群とし、各々のスナップ動画を連続して再生するのでもよい。
【００３１】
（第２の実施形態）
以下、本発明の第２の実施形態について図面を参照して説明する。
第２の実施形態における記録再生装置の機能ブロック図は、第１の実施形態と共通であり、本実施形態の機能ブロックの説明を省略する。
【００３２】
使用者が連続再生モードに移行するように記録再生装置に指示すると、制御マイコン１０８は再生対象となる動画を決定し、連続再生部１０４及び記録時間取得部２０１に伝達する。連続再生部１０４は、再生順序に応じて動画データを信号記録部１０６の記録媒体１０６ａから順次読み出す。記録時間取得部２０１は、再生対象となる複数の動画の記録時間を全て取得し、その記録時間を制御マイコン１０８に伝達する。
【００３３】
使用者が連続再生を開始し、再生速度設定部１０７から再生速度変更を指示すると、再生速度設定部１０７は制御マイコン１０８にフレームの飛び越し間隔を指示する。制御マイコン１０８は、指示されたフレーム飛び越し間隔と伝達された記録時間とを比較し、次の再生対象動画が少なくとも１フレーム再生されるか否かを判定する。
【００３４】
この判定の結果、少なくとも１フレームの画像が再生される場合は、指示されたフレーム飛び越し間隔を再生速度可変部１０５に指示する。一方、１フレームも再生されない画像がある場合は、少なくとも１フレームが再生されるようにフレーム飛び越し間隔を変更し、再生速度可変部１０５に指示する。
【００３５】
変更されたフレーム飛び越し間隔で動画の再生を完了する際に、さらに次の動画が当初伝達されたフレーム飛び越し間隔で少なくとも１フレーム再生されるか否かを判定する。そして、次の動画において、１フレームは再生される場合は当初伝達されたフレーム飛び越し間隔を再生速度可変部１０５に指示する。一方、次の動画において、１フレームも再生されない場合は、フレーム飛び越し間隔と記録時間とを再び判定し、フレーム飛び越し間隔を再設定する。
【００３６】
図４に、本実施形態における制御フローチャートを示す。
ステップＳ４１において、記録時間取得部２０１は、再生対象となる複数の動画の記録時間を全て取得する。その後、制御をステップＳ４２へ移行する。
ステップＳ４２においては、制御マイコン１０８は、連続再生部１０４に連続再生開始を指示する。その後、制御をステップＳ４３に移行する。
【００３７】
ステップＳ４３においては、制御マイコン１０８は、再生速度設定部１０７から再生速度変更指示が伝達されるのを監視する。そして、再生速度変更指示が無い場合は、ステップＳ４７へ制御を移行する。また、ステップＳ４３の監視の結果、再生速度変更指示がある場合は、ステップＳ４４に制御を移行する。
【００３８】
ステップＳ４４においては、制御マイコン１０８は、再生速度設定部１０７から伝達されたフレーム飛び越し間隔と、ステップＳ４１で取得した再生対象の動画の記録時間のうち、次に再生される動画の記録時間とを比較する。そして、フレーム飛び越し間隔が次に再生される動画の記録時間以下の時間間隔である場合は、再生速度可変部１０５にフレーム飛び越し間隔を伝達する。その後、制御をステップＳ４６に移行する。また、ステップＳ４４の比較の結果、フレーム飛び越し間隔が次に再生される動画の記録時間よりも長い場合は、ステップＳ４５に制御を移行する。
【００３９】
ステップＳ４５においては、制御マイコン１０８は、フレーム飛び越し間隔を次の再生対象動画の記録時間以下に変更し、変更されたフレーム飛び越し間隔を再生速度可変部１０５に伝達する。その後、ステップＳ４６に制御を移行する。このとき、次の再生対象画像の先頭フレーム、あるいは任意のフレームを再生するように、フレーム飛び越し間隔を調整するように構成することもできる。
【００４０】
ステップＳ４６においては、再生速度可変部１０５は、伝達されたフレーム飛び越し間隔に基づいて再生速度を設定し、動画の高速再生を開始する。その後、制御をステップＳ４７に移行する。
【００４１】
ステップＳ４７においては、制御マイコン１０８は、連続再生が終了されるか否かを判定する。この判定の結果、連続再生が継続される場合はステップＳ４３へ制御を移行し、再生速度の変更手順を再度実施する。一方、ステップＳ４７の判定の結果、連続再生が終了される場合は、制御を終了する。
【００４２】
図８に、本実施形態の記録再生装置において、複数の動画を連続再生する際のフレーム飛び越し間隔の模式図を示す。
図８のような、ムービー（１）〜（５）の５本の動画を連続再生しようとした場合に、フレーム飛び越し間隔を８秒として高速再生を実施すると、図８におけるムービー（２）、ムービー（４）のように全く再生されない動画が発生してしまう。
【００４３】
そこで、本実施形態の記録再生装置においては、それぞれの動画が再生される際に、次に再生される動画の記録時間よりもフレーム飛び越し間隔を短く制限するようにしている。これによって、全く再生されない動画が発生しないようにすることができる。
【００４４】
以上、説明したように、記録再生装置の高速再生動作を制御することにより、複数の動画を連続再生している間に使用者が再生速度を速く設定しても、必ず全ての動画から少なくとも１枚の再生画像を取り出し、使用者が動画を見落とすことを防止することができる。
【００４５】
（第３の実施形態）
以下、本発明の第３の実施形態について図面を参照して説明する。
第３の実施形態における記録再生装置の構成を説明するブロック図は、前述した第１の実施形態と共通であり、説明を省略する。
【００４６】
使用者が連続再生モードあるいは通常再生モードにおいて動画を再生中に、再生速度設定部１０７から再生速度変更を指示すると、再生速度設定部１０７は制御マイコン１０８にフレームの飛び越し間隔を指示する。
【００４７】
制御マイコン１０８は、現在の動作モードが連続再生モードか通常再生モードかを判定し、通常再生モードの場合は伝達されたフレーム飛び越し間隔を再生速度可変部１０５に伝達する。再生速度可変部１０５は、伝達されたフレーム飛び越し間隔による高速再生動作を実施する。また、判定の結果、連続再生モードである場合は、制御マイコン１０８は伝達されたフレーム飛び越し間隔を再生速度可変部１０５に伝達せず、通常速度での再生を維持する。
【００４８】
図５に、本実施形態における制御手順のフローチャートを示す。
ステップＳ５１において、制御マイコン１０８は連続再生モードであるか、通常再生モードであるか判定する。この判定の結果、連続再生モードの場合は高速再生制御を終了する。また、ステップＳ５１の判定の結果、通常再生モードである場合は、ステップＳ５２へ制御を移行する。
【００４９】
ステップＳ５２においては、制御マイコン１０８は、伝達されたフレーム飛び越し間隔による高速再生を行うように再生速度可変部１０５に設定し、高速再生を実施させる。その後、再生完了あるいは高速再生完了に伴って、制御を完了する。
【００５０】
以上、説明したように制御することにより、連続再生時に使用者が再生速度を変更しても、連続再生モードで再生が行われている場合には、再生速度可変手段による再生速度の変更を禁止することができる。したがって、本実施形態においても、記録時間の短い動画よりもフレーム飛び越し間隔を長く設定されることにより、動画の再生漏れが発生しないようにすることが可能となる。これにより、記録媒体１０６ａに記録されている全ての動画を見落とすことが無いようにすることができる。
【００５１】
（本発明に係る他の実施形態）
前述した本発明の実施形態における再生装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５２】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００５３】
なお、本発明は、前述した再生方法における各工程を実行するソフトウェアのプログラム（実施形態では図３〜図５に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００５４】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５５】
その場合、プログラムの機能を有していれば、オブジェクトコード、インタプリタにより実行されるプログラム、ＯＳに供給するスクリプトデータ等の形態であってもよい。
【００５６】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５７】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００５８】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６０】
また、コンピュータが、読み出したプログラムを実行することによって、前述した実施形態の機能が実現される他、コンピュータ上で稼動しているＯＳなどが、実際の処理の一部または全部を行うことによっても前述した実施形態の機能が実現され得る。
【００６１】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６２】
【図１】従来例を示し、記録再生装置の要部の構成を説明するブロック図である。
【図２】本発明の第１の実施形態を示し、記録再生装置の要部の構成を説明するブロック図である。
【図３】本発明の第１の実施形態を示し、記録再生装置の制御手順を説明するフローチャートである。
【図４】本発明の第２の実施形態を示し、記録再生装置の制御手順を説明するフローチャートである。
【図５】本発明の第３の実施形態を示し、記録再生装置の制御手順を説明するフローチャートである。
【図６】従来例を示し、記録再生装置において複数の動画を連続再生する際のフレーム飛び越し間隔を説明する模式図である。
【図７】本発明の第１の実施形態を示し、記録再生装置において複数の動画を連続再生する際のフレーム飛び越し間隔の一例を説明する模式図である。
【図８】本発明の第２の実施形態を示し、記録再生装置において複数の動画を連続再生する際のフレーム飛び越し間隔の一例を説明する模式図である。
【符号の説明】
【００６３】
１０１  光学系
１０２  撮影部
１０３  信号処理部
１０４  連続再生部
１０５  再生速度可変部
１０６  信号記録部
１０６ａ  記録媒体
１０７  再生速度設定部
１０８  制御マイコン
２０１  記録時間取得部
【図１】
2010118854.tif 000003
【図２】
2010118854.tif 000004
【図３】
2010118854.tif 000005
【図４】
2010118854.tif 000006
【図５】
2010118854.tif 000007
【図６】
2010118854.tif 000008
【図７】
2010118854.tif 000009
【図８】
2010118854.tif 000010